(57)【要約】【課題】脱型時にコンクリート構造物に損傷を与えず、インサート器具の大きさの変更に容易に対応し、インサート器具を型枠に確実に固定し、かつ脱型作業の作業性を良くする。【解決手段】インサート器具６のスリーブ２内に円柱状の保持具７を嵌合し、保持具７には軸方向に一対のスリット７ａ，７ｂを設け、型枠４の外部から一端を型枠４の取付孔４ａに挿通した固定ベルト８を保持具７のスリット７ａ，７ｂに挿通して再び取付孔４ａに挿通し、型枠４の外部側においては固定ベルト８の両端部を引っ張りながら固定具本体９に係合し、保持具７を型枠４の内側にしっかりと固定する。【選択図】　図１
2004034379.tif 000002
【特許請求の範囲】
【請求項１】
コンクリート構造物内の所定の位置に埋設され、取付ボルトが螺合する雌ねじ部を有するインサート本体と、インサート本体と一体化され、取付ボルトが挿入される取付ボルト挿入筒体とを備えたインサート器具を、コンクリート打設時に用いられる型枠に取り付けるためのインサート取付器具において、取付ボルト挿入筒体内に装着される保持具と、型枠を貫通して保持具を型枠に固定する可撓性の固定ベルトと、型枠の反インサート器具側に位置し、固定ベルトと係合する固定具本体とを備えたことを特徴とするインサート取付器具。
【請求項２】
保持具は、セラミックス、樹脂部材、金属部材の何れかからなることを特徴とする請求項１記載のインサート取付器具。
【請求項３】
保持具は、接合手段を介して型枠に仮固定することを特徴とする請求項１又は２記載のインサート取付器具。
【請求項４】
固定ベルトは、樹脂繊維部材からなることを特徴とする請求項１〜３の何れかに記載のインサート取付器具。
【請求項５】
固定具本体は、樹脂部材又は金属部材からなることを特徴とする請求項１〜４の何れかに記載のインサート取付器具。
【発明の詳細な説明】
【０００１】
【発明の属する技術分野】
この発明は、コンクリート構造物内に埋設するインサート器具に係り、特にインサート器具を型枠に仮固定するインサート取付器具に関するものである。
【０００２】
【従来の技術】
インサート器具を型枠に仮固定するインサート取付器具に関して、型枠の除去等を容易にする技術として、次のものが提案されている。まず、保持具を変形させて脱型させるものとして、特開２００１−１７３１０９が提案されており、また保持具を破断して脱型するものとして、特開平１１−２００５０７、同１１−２００５０６、同１１−２００５０５、登録実用新案３００５４５１、同３０４５９４５、実公昭５９−３８６３、実公平４−３２２５５、同４−４０８０１がある。さらに、保持具を破断又は抜いて脱型するものとして、特開２０００−７９６０９、特開平１１−３４８０２４、同１１−２６２９１１、同１１−１４０９９１、同１１−７０５１５、同１１−７０５１４、同１０−３０６５１０、同１０−６７０１１、同１０−６７０１０、同９−３２２３４８、同８−１００５２５、同８−５７８３８、同７−２３２３１４、同７−２２４４６６、同７−１９５３３７、同７−１７１８２０等がある。
【０００３】
【発明が解決しようとする課題】
上記した従来の技術においては、取付具を直接型枠に螺着、嵌合手段により固定することから、型枠に雌ねじ部や複数の孔を設けることが必要となる。又、型枠を他のコンクリート構造物に使用する場合に、インサート器具の大きさが異なるものを設ける場合には、雌ねじ部や孔を再度設置変更することが必要となったり、新たに設ける必要が生じたりする課題が生じた。一方、取付具側においても、雄ねじ部や複数の突起を設けることが必要となり、脱型時に取付具を破断する場合には、再利用できない消耗品になった。又、脱型時に型枠に衝撃を与えて脱型することから、インサート器具に衝撃を与えることになり、コンクリート構造物に損傷を与える可能性があった。
【０００４】
この発明は上記のような課題を解決するために成されたものであり、脱型時に型枠やインサート器具に大きな衝撃を与えることはなく、コンクリート構造物に損傷を与えず、また各種大きさのインサート器具の設置に容易に対応することができるとともに、インサート器具を確実に固定することができ、安価で脱型作業の作業性が良いインサート取付器具を得ることを目的とする。
【０００５】
【課題を解決するための手段】
切断可能な可撓性の固定ベルトを介して保持具を型枠に固定し、これにインサート器具を嵌着し、固定ベルトを切断することにより、脱型を容易にするようにした。
【０００６】
この発明の請求項１に係るインサート取付器具は、コンクリート構造物内の所定の位置に埋設され、取付ボルトが螺合する雌ねじ部を有するインサート本体と、インサート本体と一体化され、取付ボルトが挿入される取付ボルト挿入筒体とを備えたインサート器具を、コンクリート打設時に用いられる型枠に取り付けるためのインサート取付器具において、取付ボルト挿入筒体内に装着される保持具と、型枠を貫通して保持具を型枠に固定する可撓性の固定ベルトと、型枠の反インサート器具側に位置し、固定ベルトと係合する固定具本体とを備えたものである。
【０００７】
請求項２に係るインサート取付器具は、保持具が、セラミックス、樹脂部材、金属部材の何れかからなるものである。
【０００８】
請求項３に係るインサート取付器具は、保持具が、接合手段を介して型枠に仮固定されるものである。接合手段としては、両面テープ、磁石を用いる。
【０００９】
請求項４に係るインサート取付器具は、固定ベルトが、樹脂繊維部材からなるものである。
【００１０】
請求項５に係るインサート取付器具は、固定具本体が、樹脂部材又は金属部材からなるものである。
【００１１】
【発明の実施の形態】
以下、この発明の実施の形態を図面とともに説明する。図１はこの発明の実施形態によるインサート取付器具のインサート器具取付状態の断面図を示し、１はセラミックスからなり、コンクリート構造物内の所定位置に埋設されるインサート本体であり、コンクリート構造物の表面に被取付部材を取り付ける際に用いられる取付ボルトが螺合する雌ねじ部１ａが軸方向に設けられている。２はセラミックスからなり、コンクリート構造物内のインサート本体１の外表面側に埋設される円筒状のスリーブ（取付ボルト挿入筒体）であり、インサート本体１とは
継手３を介して接続され、被取付部材の取付の際には取付ボルトが挿通される。スリーブ２の型枠４側にはゴムパッキン５が接着され、インサート本体１、スリーブ２、継手３及びゴムパッキン５により、インサート器具６が構成される。
【００１２】
７はセラミックス、樹脂部材（ポリプロピレンなど）、金属部材などからなる円柱状の保持具であり、図２に示すように軸方向の一対のスリット７ａ，７ｂが形成され、スリーブ２及びゴムリング５内に嵌合される。スリット７ａ，７ｂの間隔は型枠４側が狭く、インサート本体１側が広く形成され、またスリット７ａ，７ｂの軸方向端面においては内側にＲ面が形成されている。保持具７の一端は両面テープの接着により又は磁気結合により型枠４に仮固定される。８はポリプロピレンなどの樹脂繊維部材からなる可撓性の固定ベルトであり、その一端は型枠４の外部側（反インサート本体１側）から型枠４の取付孔４ａに挿通され、保持具７の一方のスリット７ｂを長さ方向に挿通した後、反転してスリット７ａを長さ方向に挿通し、再び型枠４の取付孔４ａを挿通して型枠４の外部側に引き出される。
【００１３】
９は樹脂部材又は金属部材からなる固定具本体であり、図３（ａ）に示すように、四角いリング状の本体部９ａと、本体部９ａから同一方向に突出した一対の足部９ｂと、本体部９ａと足部９ｂとを接続し、１８０度折り曲げられる折曲部９ｃとからなり、型枠４の取付孔４ａから引き出された固定ベルト８の両端部を、図３（ｂ）、（ｃ）に示すように、足部９ｂが１８０度折り曲げられて本体部９ａ上に重ねられたバックル状態の固定具本体９に対して、本体部９ａと足部９ｂとに交互に係合させながら引っ張り、固定ベルト８と固定具本体９とにより、保持具７を型枠４にしっかりと固定する。
【００１４】
図１に示したように、インサート器具６を支持した保持具７を型枠４の内側に固定した状態において、型枠４の内側にコンクリートを打設し、一定期間養生して、図４に示すようにコンクリート構造物１０を形成する。インサート器具６は、コンクリート構造物１０中に埋設される。ここで、型枠４の外側において固定ベルト８（又は固定具本体９）を切断して型枠４を除去した後、ゴムパッキン５を除去し、さらに固定ベルト８を引っ張って保持具７をスリーブ３から引き出す。
【００１５】
上記の実施形態においては、固定ベルト８を切断することにより、型枠４、ゴムリング５及び保持具７を除去することができるから、脱型時に型枠４やインサート器具６に大きな衝撃を与えることはなく、インサート構造物１０に損傷を与えることはない。又、各種の大きさのインサート器具６を設置する場合においても、型枠４の取付孔４ａの大きさや位置を変更する必要はなく、保持具７の大きさを変更するだけで容易に対応することができる。又、固定ベルト８と固定具本体９とによる緊縛力は大きなものがあり、コンクリート打設時の衝撃に対して、インサート器具６を型枠４に確実に固定でき、インサート器具６を正確な位置に位置させることができる。また切断する固定ベルト８以外のものは再利用することができ、安価な取付器具が得られる。さらに、上記のことから、脱型時の作業性に富むインサート取付器具が得られる。
【００１６】
図５（ａ），（ｂ）は保持具７の変形例を示す、側面図及び縦断正面図であり、固定ベルト８を装着するためのスリット７ｃは型枠１０側の端部から長さ方向に往復する一連のものとなっている。また、保持具７のインサート本体１側端部に軸方向に突出した雄ねじ部７ｄを設け、この雄ねじ部７ｄをインサート本体１の雌ねじ部１ａに螺着するようにしてもよく、この場合には保持具７とインサート器具６との一体化が進み、インサート器具６の支持強度が高くなる。
【００１７】
【発明の効果】
以上のようにこの発明によれば、保持具を型枠に固定する固定ベルトは型枠の外側に導出されて固定具本体と係合しており、固定ベルトの型枠の外側部分を切断することにより、型枠等を除去することができ、脱型時に型枠やインサート器具に大きな衝撃を与えることはなく、インサート構造物に損傷を与えることはない。又、インサート器具の大きさが変わっても、型枠等は変更する必要がなく、保持具のみ変更するだけでよいので、対応が容易である。また、固定ベルトと固定具本体とによる緊縛力は大きいので、インサート器具を型枠に対して正確な位置に固定することができる。さらに、切断する固定ベルト以外のものは再利用することができ、安価な取付器具が得られ、また脱型が容易で損傷が生じる心配もないので、脱型の作業性が向上する。
【図面の簡単な説明】
【図１】この発明によるインサート取付器具を用いてインサート器具を型枠に取り付けた状態の断面図である。
【図２】この発明による保持具の左側面図、斜視図、右側面図である。
【図３】この発明による固定具本体の平面図、固定ベルトを固定具本体に係合した状態の断面図および平面図である。
【図４】この発明によるインサート取付器具の脱型時を示す断面図である。
【図５】この発明による保持具の変形例を示す側面図及び縦断正面図である。
【符号の説明】
１…インサート本体
１ａ…雌ねじ部
２…スリーブ
４…型枠
４ａ…取付孔
６…インサート器具
７…保持具
７ａ〜７ｃ…スリット
８…固定ベルト
９…固定具本体
１０…コンクリート構造物
【図１】
2004034379.tif 000003
【図２】
2004034379.tif 000004
【図３】
2004034379.tif 000005
【図４】
2004034379.tif 000006
【図５】
2004034379.tif 000007